(57)【要約】【課題】本発明は、利用者に対して所定情報のサイズの設定操作を行わせることなく、当該所定情報のサイズを利用者にとって好適なサイズに設定することができる。【解決手段】ＲＯＭ１１７は、所定情報を視認している視認者と所定情報との間の距離のうち、視認者の眼の焦点が合う距離を示す近点距離と、所定情報のサイズとが対応付けられたテーブルを記憶する。距離測定部１１５は、表示部１０１と向かい合う視認者と表示部１０１との間の距離を測定する。制御部１２１は、測定された距離とテーブルとを用いてサイズを特定サイズとして決定する。制御部１２１は、表示されている所定情報のサイズを特定サイズに変更する。テーブル内の異なる近点距離のそれぞれに対応するサイズは、近点距離が算出された視認者のそれぞれによってサイズが同一であると認識され得る。【選択図】図２
2007272594.tif 000002
【特許請求の範囲】
【請求項１】
文字又は記号を含む所定情報を表示する表示部を備える携帯通信装置であって、
前記所定情報を視認している視認者と前記所定情報との間の距離のうち、前記視認者の眼の焦点が合う距離を示す近点距離と、前記所定情報のサイズとが対応付けられたテーブルと、
前記表示部と向かい合う前記視認者と前記表示部との間の距離を測定する距離測定部と、
測定された前記距離と前記テーブルとを用いて、前記サイズを特定サイズとして決定するサイズ決定部と、
前記表示部に表示されている前記所定情報のサイズを前記特定サイズに変更するサイズ変更部とを備え、
前記テーブル内の異なる近点距離のそれぞれに対応するサイズは、前記近点距離が算出された視認者のそれぞれによって前記サイズが同一であると認識され得ることを特徴とする携帯通信装置。
【請求項２】
前記距離測定部は、前記距離の測定を開始させる操作指示を受け付けた場合には、前記距離を測定することを特徴とする請求項１に記載の携帯通信装置。
【請求項３】
測定された前記距離が所定範囲内である場合のみ、前記サイズ決定部及び前記サイズ変更部における動作処理を実行させる動作制御部を備えることを特徴とする請求項１に記載の携帯通信装置。
【請求項４】
文字又は記号を含む所定情報を表示する表示部と、
前記所定情報を視認している視認者と前記所定情報との間の距離のうち、前記視認者の眼の焦点が合う距離を示す近点距離と、前記所定情報のサイズとが対応付けられたテーブルとを備える携帯通信装置で動作する表示制御方法であって、
前記表示部と向かい合う前記視認者と前記表示部との間の距離を測定する第１ステップと、
測定された前記距離と前記テーブルとを用いて、前記サイズを特定サイズとして決定する第２ステップと、
前記表示部に表示されている前記所定情報のサイズを前記特定サイズに変更する第３ステップとを備え、
前記テーブル内の異なる近点距離のそれぞれに対応するサイズは、前記近点距離が算出された視認者のそれぞれによって前記サイズが同一であると認識され得ることを特徴とする表示制御方法。
【請求項５】
前記第１ステップでは、前記距離の測定を開始させる操作指示を受け付けた場合には、前記距離を測定することを特徴とする請求項４に記載の表示制御方法。
【請求項６】
測定された前記距離が所定範囲内である場合のみ、前記第２ステップ及び前記第３ステップにおける動作処理を実行させる第４ステップを備えることを特徴とする請求項４に記載の表示制御方法。
【発明の詳細な説明】
【技術分野】
【０００１】
本発明は、文字又は記号を含む所定情報を表示する表示部を備える携帯通信装置、及び携帯通信装置で動作する表示制御方法に関する。
【背景技術】
【０００２】
現在、文字又は記号を含む所定情報を表示する表示部を備える携帯通信装置（例えば、携帯電話機、ＰＤＡ）が幅広い年齢層に多く普及している。このため、携帯通信装置には、幅広い年齢層に対して使い勝手を良くするための機能が搭載されている。
【０００３】
例えば、携帯通信装置の中には、携帯通信装置の利用者（以下、利用者）からの入力操作により、文字又は記号のサイズを設定する携帯通信装置が存在する（例えば、特許文献１参照）。これにより、利用者は、画面に表示されている文字又は記号のサイズを、自己の視力に見合うサイズに設定することができるため、眼を凝らすことなくより明確に文字又は記号を視認することができる。
【特許文献１】特開平８−６５３３号公報
【発明の開示】
【発明が解決しようとする課題】
【０００４】
しかしながら、上記携帯通信装置の利用者は、自己の視力に見合うサイズを逐一入力しなければならない。また、利用者が他人に画面内容を見せる場合には、当該利用者は、当該他人にとって見易いサイズに設定し直さなければならない場合がある。
【０００５】
そこで、本発明は以上の点に鑑みてなされたものであり、利用者に対して所定情報のサイズの設定操作を行わせることなく、当該所定情報のサイズを利用者にとって好適なサイズに設定することができる携帯通信装置、及び携帯通信装置で動作する表示制御方法を提供することを目的とする。
【課題を解決するための手段】
【０００６】
上記課題を解決するために、本発明の第１の特徴は、文字又は記号を含む所定情報を表示する表示部を備える携帯通信装置であって、前記所定情報を視認している視認者（携帯通信装置の利用者；以下では視認者と適宜省略する）と前記所定情報との間の距離のうち、前記視認者の眼の焦点が合う距離を示す近点距離と、前記所定情報のサイズとが対応付けられたテーブルと、前記表示部と向かい合う視認者と、前記表示部との間の距離を測定する距離測定部と、測定された前記距離と前記テーブルとを用いて、前記サイズを特定サイズとして決定するサイズ決定部と、前記表示部に表示されている前記所定情報のサイズを前記特定サイズに変更するサイズ変更部とを備え、前記テーブル内の異なる近点距離のそれぞれに対応するサイズは、前記近点距離が算出された視認者のそれぞれによって前記サイズが同一であると認識され得ることを要旨とする。
【０００７】
かかる特徴によれば、視認者の近点距離に応じて表示部に表示されている所定情報のサイズを変更することにより、視認者に対して所定情報のサイズの設定操作を行わせることなく、所定情報のサイズを自動的に設定することができる。
【０００８】
また、テーブル内の異なる近点距離のそれぞれに対応するサイズは、当該近点距離が算出された視認者のそれぞれによって当該サイズが同一であると認識され得る。これにより、視認者の近点距離のそれぞれが異なり、当該近点距離のそれぞれに対応して表示される所定情報のサイズが異なっても、当該視認者のそれぞれは、表示されている所定情報のサイズが同一であると認識することができる。このため、所定情報のサイズを、広範囲の年齢層に渡る視認者に対して好適なサイズに設定することができる。
【０００９】
本発明の第２の特徴は、前記距離測定部が、前記距離の測定を開始させる操作指示を受け付けた場合には、前記距離を測定することを要旨とする。
【００１０】
本発明の第３の特徴は、測定された前記距離が所定範囲内である場合のみ、前記サイズ決定部及び前記サイズ変更部における動作処理を実行させる動作制御部を備えることを要旨とする。
【発明の効果】
【００１１】
本発明の特徴によれば、利用者に対して所定情報のサイズの設定操作を行わせることなく、当該所定情報のサイズを利用者にとって好適なサイズに設定することができる。
【発明を実施するための最良の形態】
【００１２】
（携帯通信装置の構成）
本実施形態について図面を参照しながら説明する。図１は、本実施形態に係る携帯通信装置１００の外観図である。図１に示すように、携帯通信装置１００は、携帯通信装置１００と他の携帯通信装置（図示せず）との間で情報の送受信を行う。携帯通信装置１００には、例えば、携帯電話機、ＰＤＡ等が含まれる。
【００１３】
図２は、本実施形態に係る携帯通信装置１００の内部構成図である。図２に示すように、携帯通信装置１００は、表示部１０１と、音声出力部１０３と、マイク１０５と、カメラ１０７と、通信部１０９と、電源部１１１と、操作入力部１１３と、距離測定部１１５と、ＲＯＭ１１７と、ＲＡＭ１１９と、制御部１２１とを備える。
【００１４】
表示部１０１は、所定情報を表示する。所定情報には、文字、記号、数字又は画像等が含まれる。音声出力部１０３は、他の携帯電話機（図示せず）から受信した音声データに係る音声、ＲＯＭ１１７に記憶されている音楽データに係る音楽などを出力する。マイク１０５は、携帯通信装置１００の利用者の音声を取得する。
【００１５】
カメラ１０７は、被写体を撮影するものであり、ＣＣＤカメラなどが挙げられる。通信部１０９は、他の携帯通信装置等との間で情報を送受信する。電源部１１１は、携帯通信装置１００に備えられている各部に電源を供給する。操作入力部１１３は、所定情報の入力を受け付けたり、表示部１０１に表示されているカーソルの移動指示を受け付けたり、各種情報の選択操作等を受け付ける。
【００１６】
距離測定部１１５は、表示部１０１と向かい合う視認者（利用者）と、表示部１０１との間の距離を測定する。例えば、距離測定部１１５は、変調した光である変調光を視認者に向けて出射し、視認者で反射した変調光を受光する。距離測定部１１５は、出射時の変調光の位相と受光時の変調光の位相との差分を算出し、算出した差分に応じて表示部１０１から視認者までの距離を算出する。
【００１７】
なお、距離測定部１１５は、カメラのそれぞれで撮影された画像の差分を算出し、算出した差分に応じて表示部１０１から視認者までの距離を算出してもよい。また、距離測定部１１５は、カメラにより撮影された画像のボケ量を算出し、算出したボケ量に応じて表示部１０１から視認者までの距離を算出してもよい。
【００１８】
ＲＯＭ１１７は、携帯通信装置１００の動作に用いられるプログラム、テーブル等を記憶する。ＲＡＭ１１９は、携帯通信装置１００の内部で処理されるデータを一時的に記憶する。
【００１９】
図３は、ＲＯＭ１１７に記憶されるテーブルの内容を示す図である。図３に示すように、テーブルには、所定情報を視認している視認者と所定情報との間の距離のうち、当該視認者の眼の焦点が合う距離を示す近点距離と、所定情報のサイズとが対応付けられている。なお、近点距離及びサイズは、図３に示す値に限定されないのは勿論のことである。また、近点距離は、所定情報を視認している視認者と所定情報との間の距離のうち、当該視認者の眼の焦点が合う最も短い距離であることが好ましい。
【００２０】
図３に示す視認者の近点距離とサイズとに対応付けられた数値が１００に近づく程、当該サイズは、当該近点距離が算出された視認者のそれぞれによって当該サイズが同一であると認識され得る。
【００２１】
図３及び図４に示すように、例えば、視認者１の近点距離が１０ｃｍである場合には、ほぼ数値１００に対応するサイズは１４ｄｏｔである（図４（ａ）参照）。視認者２の近点距離が１４ｃｍである場合には、数値１００に対応するサイズは２０ｄｏｔである（図４（ｂ）参照）。視認者３の近点距離が２１ｃｍである場合には、ほぼ数値１００に対応するサイズは２８ｄｏｔである（図４（ｃ）参照）。視認者４の近点距離が４５ｃｍである場合には、ほぼ数値１００に対応するサイズは７２ｄｏｔである（図４（ｄ）参照）。
【００２２】
このように視認者１〜視認者４に対して表示される所定情報のサイズはそれぞれ異なるが、視認者１〜視認者４のそれぞれによって認識される文字のサイズはほぼ同一となる（同図（ａ）〜（ｄ）中の“今日の天気”等の文字のサイズを参照）。
【００２３】
視認者の近点距離とサイズとに対応付けられた数値は、以下の式により算出することができる。
【００２４】
数値＝（近点距離／１４）×（所定情報のサイズ／２０）×１００
制御部１２１は、測定された距離とＲＯＭ１１７に記憶されているテーブルとを用いて、当該距離に対応するサイズを特定サイズとして決定する。
【００２５】
例えば、制御部１２１は、測定された距離が１０ｃｍである場合には、図３に示すテーブルを参照して距離１０ｃｍ及び数値１００（ほぼ数値１００）に対応するサイズを特定サイズとして決定する。そして、制御部１２１は、表示部１０１に表示されている所定情報のサイズを特定サイズに変更する。
【００２６】
なお、制御部１２１は、サイズ決定部及びサイズ変更部を構成する。
【００２７】
（携帯通信装置の動作）
次に、本実施形態に係る携帯通信装置の動作（表示制御方法）について図５を参照しながら説明する。図５に示すように、Ｓ１０１において、携帯通信装置１００は、表示部１０１と、表示部１０１と向い合う視認者との間の距離の測定を開始させる操作指示が入力されたか否か判定する。携帯通信装置１００は、この判定がＹＥＳである場合にはＳ１０３の処理に移り、ＮＯである場合には本処理を繰り返す。
【００２８】
Ｓ１０３において、携帯通信装置１００は、表示部１０１と、表示部１０１と向い合う視認者との間の距離を測定する。
【００２９】
Ｓ１０５において、携帯通信装置１００は、図３に示すテーブルを参照し、測定した距離及び数値１００（ほぼ数値１００）に対応するサイズを特定サイズとして決定する。
【００３０】
Ｓ１０７において、携帯通信装置１００は、表示部１０１に表示されている所定情報のサイズを特定サイズに変更する。
【００３１】
かかる特徴によれば、携帯通信装置１００は、視認者の近点距離に応じて表示部１０１に表示されている所定情報のサイズを変更することにより、視認者に対して所定情報のサイズの設定操作を行わせることなく、所定情報のサイズを自動的に設定することができる。
【００３２】
また、テーブル内の異なる近点距離のそれぞれに対応するサイズは、当該近点距離が算出された視認者のそれぞれによって当該サイズが同一であると認識され得る。これにより、視認者の近点距離のそれぞれが異なり、当該近点距離のそれぞれに対応して表示される所定情報のサイズが異なっても、当該視認者のそれぞれは、表示されている所定情報のサイズが同一であると認識することができる（図４参照）。このため、携帯通信装置１００は、所定情報のサイズを、広範囲の年齢層に渡る視認者に対して好適なサイズに設定することができる。
【００３３】
さらに、携帯通信装置１００は、表示部１０１と視認者との距離の測定を開始させる操作指示を受け付けた場合には、当該距離を測定する。これにより、視認者は、表示部１０１と正確に向い合っていない場合には、上記操作指示を入力しないことにより、当該所定情報のサイズを不必要に変更させないようにすることができる。
【００３４】
（第１変更例）
なお、携帯通信装置１００は、測定した距離が所定範囲内である場合のみ、制御部１２１を構成する一部（サイズ決定部及びサイズ変更部）における動作処理を実行させてもよい。
【００３５】
ここで、測定された距離が所定範囲内でない場合には、表示部１０１に対して携帯通信装置１００の利用者が正確に向い合っていないか、又は当該利用者が他人に貸し渡している途中にあり表示部１０１に対して向い合っている者が誰もいないと予想される。一方、測定された距離が所定範囲内である場合には、表示部１０１に対して当該利用者が正確に向い合っていると予想される。
【００３６】
本変更例では、測定された前記距離が所定範囲内である場合にのみ、制御部１２１を構成する一部（サイズ決定部及びサイズ変更部）における動作処理が開始する。このため、携帯通信装置１００は、表示部１０１に対して携帯通信装置の利用者が正確に向い合っていない等の状況下において、所定情報のサイズを不必要に変更しないようにすることができるとともに、制御部１２１において消費される電力を低減させることができる。
【００３７】
（第２変更例）
なお、制御部１２１は、表示部１０１と向かい合う視認者（利用者）と、表示部１０１との間の距離の大きさに応じて、表示部１０１に表示されているウェブサイトを他のウェブサイトに変更してもよい。具体的には以下の通りである。
【００３８】
ＲＯＭ１１７は、近点距離とウェブサイトのアドレスとが対応付けられたアドレステーブルを記憶する。本実施形態では、近点距離が長くなるなる程、人の老化の度合いを示す老化度が高くなり、近点距離が短くなる程、老化度が低くなる関係がある。近点距離には、当該近点距離に対応する老化度の人に向けて作成されているウェブサイトのアドレスが対応付けられている。老化度には、人の実年齢、肌年齢、脳年齢などが含まれている。
【００３９】
制御部１２１は、表示部１０１と向かい合う視認者と、表示部１０１との間の距離と、アドレステーブルとを用いてアドレスを特定アドレスとして決定する。制御部１２１は、表示部１０１に表示されているウェブサイトのアドレスを特定アドレスに変更する。制御部１２１は、変更した特定アドレスに基づいて、当該特定アドレスに対応するウェブサイトを表示部１０１に表示する。
【００４０】
かかる特徴によれば、携帯通信装置１００は、表示部１０１と向かい合う視認者と、表示部１０１との間の距離に応じて、当該視認者の老化度を推定し、推定した老化度に応じたウェブサイトを表示することできる。このため、携帯通信装置１００は、視認者に対してウェブサイトの設定操作を行わせなくても、視認者の好みに見合うウェブサイトを自動的に表示することができる。
【００４１】
（第３変更例）
なお、携帯通信装置１００は、表示部１０１と向かい合う視認者（利用者）と、表示部１０１との間の距離が基準距離を超えていない場合には、表示部１０１に表示されている漢字を平仮名に変換してもよい。
【００４２】
ここで、例えば、上記基準距離が子供の近点距離に相当するときに、表示部１０１と向かい合う視認者と、表示部１０１との間の距離が基準距離を超えない場合には、当該視認者が子供である可能性が高い。この場合には、携帯通信装置１００は、表示部１０１に表示されている漢字を平仮名に変換することができるため、当該視認者に対して読み易い文字を表示することができる。
【００４３】
以上、本発明の一例を説明したが、具体例を例示したに過ぎず、特に本発明を限定するものではなく、各部の具体的構成等は、適宜設計変更可能である。また、実施形態の構成及び各変更例の構成もそれぞれ組み合わせることが可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００４４】
【図１】本実施形態に係る携帯通信装置の外観図である。
【図２】本実施形態に係る携帯通信装置の内部構成図である。
【図３】本実施形態に係るＲＯＭに記憶されているテーブルの内容を示す図である。
【図４】本実施形態に係る表示部の内容を示す図である。
【図５】本実施形態に係る携帯通信装置のフロー図である。
【符号の説明】
【００４５】
１００…携帯通信装置、１０１…表示部、１０３…音声出力部、１０５…マイク、１０７…カメラ、１０９…通信部、１１１…電源部、１１３…操作入力部、１１５…距離測定部、１１７…ＲＯＭ、１１９…ＲＡＭ、１２１…制御部
【図１】
2007272594.tif 000003
【図２】
2007272594.tif 000004
【図３】
2007272594.tif 000005
【図４】
2007272594.tif 000006
【図５】
2007272594.tif 000007